(57)【要約】【課題】タブの電気抵抗を低減できる蓄電装置を提供する。【解決手段】二次電池１０は、電極接続部１９及び端子接続部１８を有する導電部材１７と、電解液の注液孔４１とを備える。タブ群１５は、積層方向の一端側で寄せ集められるとともに積層方向の他端側に向けて折り曲げられている。導電部材１７は、蓋１４の内面１４ａに沿い、かつ蓋１４の長手方向において注液孔４１と並んで配置されるとともに、端子接続部１８を有する平板状の第１板部５１と、積層方向の他端側において第１板部５１から電極組立体１２に向けて延出する第２板部と、第２板部から積層方向の一端側に向けて延出し、タブ群１５を電極組立体１２側から覆うとともに、電極接続部１９を有する平板状の第３板部５３とを備える。電極接続部１９の一部は、蓋１４の厚さ方向から見たとき、注液孔４１と重なる。【選択図】図２
2019175690.tif 000002
【特許請求の範囲】
【請求項１】
電極が積層され、かつ前記電極から突出したタブが積層されたタブ群を有する電極組立体と、
前記電極組立体及び電解液を収容するケース本体の開口部を閉塞する矩形板状の蓋と、
前記蓋を貫通する電極端子と、
前記タブ群が存在する前記電極組立体のタブ側端面と前記蓋との間に配置され、前記タブ群が溶接される電極接続部、及び前記電極端子と電気的に接続される端子接続部を有する導電部材と、
前記蓋を貫通する前記電解液の注液孔と、
前記注液孔を封止する封止部材と、
を備え、
前記タブ群は、前記電極の積層方向の一端側で寄せ集められるとともに前記積層方向の他端側に向けて折り曲げられている蓄電装置であって、
前記導電部材は、
前記蓋の内面に沿い、かつ前記蓋の長手方向において前記注液孔と並んで配置されるとともに、前記端子接続部を有する平板状の第１板部と、
前記積層方向の他端側において前記第１板部から前記電極組立体に向けて延出する第２板部と、
前記第２板部から前記積層方向の一端側に向けて延出し、前記タブ群を前記電極組立体側から覆うとともに、前記電極接続部を有する平板状の第３板部と、
を備え、
前記電極接続部の一部は、前記蓋の厚さ方向から見たとき、前記注液孔と重なることを特徴とする蓄電装置。
【請求項２】
電極が積層され、かつ前記電極から突出したタブが積層されたタブ群を有する電極組立体と、
前記電極組立体を収容するケース本体の開口部を閉塞する矩形板状の蓋と、
前記蓋を貫通する電極端子と、
前記タブ群が存在する前記電極組立体のタブ側端面と前記蓋との間に配置され、前記タブ群が溶接される電極接続部、及び前記電極端子と電気的に接続される端子接続部を有する導電部材と、
前記端子接続部と前記蓋との間に配置された絶縁部材と、
を備え、
前記タブ群は、前記電極の積層方向の一端側で寄せ集められるとともに前記積層方向の他端側に向けて折り曲げられている蓄電装置であって、
前記導電部材は、
前記蓋の内面に沿って配置される第１板部と、
前記積層方向の他端側において前記第１板部から前記電極組立体に向けて延出する第２板部と、
前記第２板部から前記積層方向の一端側に向けて延出し、前記タブ群を前記電極組立体側から覆うとともに、前記電極接続部を有する第３板部と、
を備え、
前記第１板部及び前記第３板部の長手は、前記蓋の長手方向に延び、
前記第１板部は、長手方向の一部に前記端子接続部を有し、
前記電極接続部の一部は、前記蓋の厚さ方向から見たとき、前記端子接続部と重なることを特徴とする蓄電装置。
【請求項３】
前記第３板部には、前記蓋の長手方向に沿う前記タブの全体が溶接される請求項１又は請求項２に記載の蓄電装置。
【発明の詳細な説明】
【技術分野】
【０００１】
本発明は、タブ群が溶接される電極接続部及び電極端子と電気的に接続される端子接続部を有する導電部材を備える蓄電装置に関する。
【背景技術】
【０００２】
従来から、ＥＶ（Electric Vehicle）やＰＨＶ（Plug in Hybrid Vehicle）などの車両には、走行用モータへの供給電力を蓄える蓄電装置としてリチウムイオン二次電池やニッケル水素二次電池などが搭載されている。二次電池は、シート状の正極電極及び負極電極が絶縁された状態で積層された電極組立体と、電極組立体を収容するケースとを備える。電極組立体は、正極電極の一辺から突出した正極のタブが積層された正極のタブ群と、負極電極の一辺から突出した負極のタブが積層された負極のタブ群とを有する。ケースは、有底筒状のケース本体と、ケース本体の開口部を閉塞する矩形板状の蓋とを有する。また、二次電池は、蓋を貫通し、電極組立体と電気を授受する各極性の電極端子と、蓋の内面に沿って配置され、同じ極性のタブ群と電極端子とを電気的に接続する各極性の矩形板状の導電部材とを備える。導電部材の長手方向は、蓋の長手方向と一致する。
【０００３】
特許文献１に開示の二次電池は、蓋を厚さ方向に貫通する注液孔と、注液孔を封止する封止部材とを備える。封止部材は、注液孔からケースの内部に電解液が注入された後、注液孔を封止する。封止部材が注液孔を封止した状態において、封止部材の一部は、蓋の内面から電極組立体に向けて突出する。
【０００４】
特許文献２に開示の二次電池では、導電部材は、下面にタブ群が溶接された電極接続部を備え、上面に電極端子と電気的に接続された端子接続部を備える。二次電池は、導電部材の端子接続部と蓋の内面との間に配置され、端子接続部と蓋とを絶縁する絶縁部材を備える。このような二次電池では、導電部材の長手方向の一部が電極接続部及び端子接続部を兼ねる場合、端子接続部にタブ群を溶接する際の熱によって、絶縁部材が溶けたり変形したりすることがある。このため、端子接続部と電極接続部とは、導電部材の長手方向において異なる位置に配置される。
【先行技術文献】
【特許文献】
【０００５】
【特許文献１】特開２０１６−２１９３２８号公報
【特許文献２】特開２０１７−１１７６４７号公報
【発明の概要】
【発明が解決しようとする課題】
【０００６】
ところで、蓄電装置では、出力効率の低下の抑制が望まれている。出力効率の低下を抑制する方法の１つとして、蓋の長手方向におけるタブの寸法を増大させることでタブの断面積を増大させ、タブの電気抵抗を低減する方法が考えられる。蓋の長手方向におけるタブの寸法を増大させるには、タブが溶接される電極接続部の寸法を増大させる必要がある。しかしながら、例えば、特許文献１に開示の蓄電装置では、蓋の長手方向における電極接続部の寸法を増大させると、電極接続部と封止部材とが干渉してしまう。また、特許文献２に開示の蓄電装置では、導電部材の長手方向において端子接続部と電極接続部とを異なる位置に配置する関係上、電極接続部の寸法を増大させることができない。
【０００７】
本発明は、上記課題を解決するためになされたものであり、その目的は、タブの電気抵抗を低減できる蓄電装置を提供することにある。
【課題を解決するための手段】
【０００８】
上記問題点を解決するための蓄電装置は、電極が積層され、かつ前記電極から突出したタブが積層されたタブ群を有する電極組立体と、前記電極組立体及び電解液を収容するケース本体の開口部を閉塞する矩形板状の蓋と、前記蓋を貫通する電極端子と、前記タブ群が存在する前記電極組立体のタブ側端面と前記蓋との間に配置され、前記タブ群が溶接される電極接続部、及び前記電極端子と電気的に接続される端子接続部を有する導電部材と、前記蓋を貫通する前記電解液の注液孔と、前記注液孔を封止する封止部材と、を備え、前記タブ群は、前記電極の積層方向の一端側で寄せ集められるとともに前記積層方向の他端側に向けて折り曲げられている蓄電装置であって、前記導電部材は、前記蓋の内面に沿い、かつ前記蓋の長手方向において前記注液孔と並んで配置されるとともに、前記端子接続部を有する平板状の第１板部と、前記積層方向の他端側において前記第１板部から前記電極組立体に向けて延出する第２板部と、前記第２板部から前記積層方向の一端側に向けて延出し、前記タブ群を前記電極組立体側から覆うとともに、前記電極接続部を有する平板状の第３板部と、を備え、前記電極接続部の一部は、前記蓋の厚さ方向から見たとき、前記注液孔と重なることを要旨とする。
【０００９】
これによれば、第３板部は、第１板部よりも電極組立体寄りに配置されるため、第１板部よりも蓋から離間している。このため、注液孔を封止する封止部材が蓋の内面から突出していても、第３板部は封止部材と干渉しない。蓋の厚さ方向から見たとき、注液孔と重なる位置にも第３板部が配置されることで、電極接続部は、第１板部と重なる位置に加えて注液孔と重なる位置にも延在する。よって、蓋の長手方向における電極接続部の寸法を増大させることができ、電極接続部に溶接されるタブ群のタブについても、蓋の長手方向における寸法を増大させることができる。その結果、タブの断面積が増大し、タブの電気抵抗を低減できる。
【００１０】
上記問題点を解決するための蓄電装置は、電極が積層され、かつ前記電極から突出したタブが積層されたタブ群を有する電極組立体と、前記電極組立体を収容するケース本体の開口部を閉塞する矩形板状の蓋と、前記蓋を貫通する電極端子と、前記タブ群が存在する前記電極組立体のタブ側端面と前記蓋との間に配置され、前記タブ群が溶接される電極接続部、及び前記電極端子と電気的に接続される端子接続部を有する導電部材と、前記端子接続部と前記蓋との間に配置された絶縁部材と、を備え、前記タブ群は、前記電極の積層方向の一端側で寄せ集められるとともに前記積層方向の他端側に向けて折り曲げられている蓄電装置であって、前記導電部材は、前記蓋の内面に沿って配置される第１板部と、前記積層方向の他端側において前記第１板部から前記電極組立体に向けて延出する第２板部と、前記第２板部から前記積層方向の一端側に向けて延出し、前記タブ群を前記電極組立体側から覆うとともに、前記電極接続部を有する第３板部と、を備え、前記第１板部及び前記第３板部の長手は、前記蓋の長手方向に延び、前記第１板部は、長手方向の一部に前記端子接続部を有し、前記電極接続部の一部は、前記蓋の厚さ方向から見たとき、前記端子接続部と重なることを要旨とする。
【００１１】
これによれば、タブ群は、第１板部と異なる高さにある第３板部に溶接される。このため、溶接時の熱が、蓋の内面と第１板部の端子接続部との間に配置された絶縁部材に及ぶことを抑制できる。そして、蓋の厚さ方向から見たとき、端子接続部と重なる位置にも第３板部が配置されることで、電極接続部は、第１板部における端子接続部以外の部分と重なる位置に加えて端子接続部と重なる位置にも延在する。よって、蓋の長手方向における電極接続部の寸法を増大させることができ、電極接続部に溶接されるタブ群のタブについても、蓋の長手方向における寸法を増大させることができる。その結果、タブの断面積が増大し、タブの電気抵抗を低減できる。
【００１２】
また、上記蓄電装置について、前記第３板部には、前記蓋の長手方向に沿う前記タブの全体が溶接されるのが好ましい。
タブの電気抵抗に関与するのは、導電部材と電気的に接続される部分であるから、蓋の長手方向に沿うタブの一部が第３板部に溶接される場合と比較して、タブにおいて電流が流れる部分を増大させることができる。よって、タブの電気抵抗をより低減できる。
【発明の効果】
【００１３】
本発明によれば、タブの電気抵抗を低減できる。
【図面の簡単な説明】
【００１４】
【図１】実施形態の二次電池の分解斜視図。
【図２】二次電池の断面図。
【図３】図２における３−３線断面図。
【図４】図２における４−４線断面図。
【図５】二次電池の別例を示す断面図。
【図６】二次電池の別例を示す断面図。
【発明を実施するための形態】
【００１５】
以下、蓄電装置を二次電池に具体化した一実施形態を図１〜図４にしたがって説明する。
図１及び図２に示すように、蓄電装置としての二次電池１０は、ケース１１と、電極組立体１２と、図示しない電解液とを備える。電極組立体１２及び電解液は、ケース１１に収容される。ケース１１は、直方体状のケース本体１３と、ケース本体１３の開口部１３ａを閉塞する矩形平板状の蓋１４とを有する。蓋１４において、ケース１１の内側に臨む面を内面１４ａとし、ケース１１の外側に臨む面を外面１４ｂとする。また、蓋１４の厚さ方向を二次電池１０の高さ方向とする。ケース１１を構成するケース本体１３と蓋１４は、何れも金属製（例えば、ステンレスやアルミニウム）である。また、本実施形態の二次電池１０は、その外観が角型をなす角型電池である。また、本実施形態の二次電池１０は、リチウムイオン電池である。
【００１６】
図３及び図４に示すように、電極組立体１２は、複数の矩形シート状の電極としての正極電極２１と、電極としての負極電極２２と、セパレータ２３とを備える。電極組立体１２は、正極電極２１と負極電極２２との間にセパレータ２３を介在させ、かつ相互に絶縁させた状態で積層した層状構造を備える。本実施形態では、正極電極２１及び負極電極２２の長手方向は、蓋１４の長手方向と一致する。また、正極電極２１と負極電極２２が積層される方向を積層方向とする。積層方向は、蓋１４の短手方向と一致する。
【００１７】
正極電極２１は、矩形シート状の正極金属箔（例えばアルミニウム箔）２４と、正極金属箔２４の両面に存在する正極活物質層２５とを有する。正極電極２１は、正極電極２１の一辺である長縁部２１ａの一部から突出した正極のタブ２６を有する。正極のタブ２６は、正極活物質層２５が存在せず、正極金属箔２４そのもので構成されている。負極電極２２は、矩形シート状の負極金属箔（例えば銅箔）２７と、負極金属箔２７の両面に存在する負極活物質層２８とを有する。負極電極２２は、負極電極２２の一辺である長縁部２２ａの一部から突出した負極のタブ２６を有する。負極のタブ２６は、負極活物質層２８が存在せず、負極金属箔２７そのもので構成されている。
【００１８】
各正極電極２１は、それぞれの正極のタブ２６が積層方向に沿って列状に配置されるように積層される。同様に、各負極電極２２は、それぞれの負極のタブ２６が積層方向に沿って列状に配置されるように積層される。電極組立体１２は、正極のタブ２６が積層された正極のタブ群１５と、負極のタブ２６が積層された負極のタブ群１５とを備える。電極組立体１２において、正極及び負極のタブ群１５が存在する端面をタブ側端面１２ａとする。電極組立体１２は、タブ側端面１２ａを除く端面が絶縁シートＦによって覆われることで、ケース本体１３から絶縁される。
【００１９】
タブ群１５は、基端側の部位が積層方向の一端側で寄せ集められるとともに積層方向の他端側に向けて屈曲された第１屈曲部１５ａと、第１屈曲部１５ａから積層方向に沿って延びる第１延在部１５ｂと、積層方向の他端側から一端側に向けて屈曲された第２屈曲部１５ｃと、第２屈曲部１５ｃから延びる第２延在部１５ｄを有する。第１延在部１５ｂは、電極組立体１２のタブ側端面１２ａと第２延在部１５ｄとの間に位置する。
【００２０】
図２に示すように、二次電池１０は、後述の導電部材１７を介して電極組立体１２と電気を授受する各極性の電極端子部材１６を備える。電極端子部材１６は、蓋１４の外面１４ｂに沿って配置された矩形板状の端子接続部材３１と、端子接続部材３１とを電気的に接続される電極端子３２とを備える。電極端子３２は、平板状の基部３２ａと、基部３２ａから突出し、蓋１４を厚さ方向に貫通する軸部３２ｂとを有する。軸部３２ｂにおける基部３２ａとは反対側の端部は、ケース１１の外部においてかしめられている。正極の電極端子３２は、蓋１４の長手方向の一端側に配置され、負極の電極端子３２は、蓋１４の長手方向の他端側に配置される。また、電極端子部材１６は、端子接続部材３１から延出する外部接続端子３３を備える。外部接続端子３３は、端子接続部材３１と電気的に接続されている。外部接続端子３３には、図示しないバスバー締結用のナットが螺合可能である。
【００２１】
図１及び図２に示すように、二次電池１０は、蓋１４を厚さ方向に貫通する円孔状の注液孔４１を備える。電解液は、注液孔４１からケース１１の内部に注液される。注液孔４１は、電解液が注液された後、封止部材４２によって封止される。本実施形態の封止部材４２は、蓋１４の注液孔４１に挿通される栓ボルト４２ａと、蓋１４の内面１４ａに固定されるとともに栓ボルト４２ａと螺合されるナット４２ｂとを有する。よって、蓋１４の内面１４ａからは封止部材４２の一部が電極組立体１２のタブ側端面１２ａに向けて突出している。注液孔４１及び封止部材４２は、蓋１４の長手方向において中央よりも負極の電極端子部材１６寄りに位置する。注液孔４１及び封止部材４２は、蓋１４の長手方向に沿って負極の電極端子部材１６と並んで配置される。
【００２２】
二次電池１０は、蓋１４に圧力開放弁４３を備える。圧力開放弁４３は、ケース１１の内部でガスが発生した際、ケース１１の内部の圧力が上昇し過ぎないように、ケース１１の内部の圧力が所定の圧力である開放圧に達した場合に開裂する。これにより、ケース１１の内外が連通され、ケース１１の内部の圧力がケース１１の外部に開放される。圧力開放弁４３は、蓋１４の長手方向において中央よりも正極の電極端子３２寄りに位置する。圧力開放弁４３は、蓋１４の長手方向に沿って正極の電極端子部材１６と並んで配置される。
【００２３】
図２に示すように、二次電池１０は、同じ極性のタブ群１５と電極端子部材１６とを電気的に接続する各極性の導電部材１７を備える。導電部材１７は、矩形平板状の第１〜第３板部５１〜５３を備える。
【００２４】
第１板部５１は、蓋１４の内面１４ａに沿って配置される。第１板部５１の長手方向は、蓋１４の長手方向と一致し、第１板部５１の短手方向は、積層方向と一致する。第１板部５１の長手方向の端部のうち、蓋１４の短縁部寄りの端部を一端部とし、蓋１４の長手方向の中央寄りの端部を他端部とする。第１板部５１は、長手方向の一端部に電極端子３２の基部３２ａと電気的に接続される端子接続部１８を備える。電極端子３２の基部３２ａは、第１板部５１の上面に溶接される。負極の導電部材１７の第１板部５１は、蓋１４の長手方向において注液孔４１と並んで配置される。よって、蓋１４の厚さ方向から見たとき、負極の導電部材１７の第１板部５１は、注液孔４１と重ならない。また、正極の導電部材１７の第１板部５１は、蓋１４の長手方向において圧力開放弁４３と並んで配置される。よって、蓋１４の厚さ方向から見たとき、正極の導電部材１７の第１板部５１は、圧力開放弁４３と重ならない。
【００２５】
図３及び図４に示すように、第２板部５２は、第１板部５１の一対の長縁部のうち、積層方向の他端側に位置する長縁部から電極組立体１２に向けて延出する。第２板部５２は、積層方向の他端側からタブ群１５の第２屈曲部１５ｃを覆う。これにより、タブ群１５は、ケース本体１３の内面と接触しない。また、第２板部５２は、ケース本体１３の内面から離間している。これにより、第２板部５２とケース本体１３との絶縁が確保される。
【００２６】
第３板部５３は、第２板部５２の一対の長縁部のうち、電極組立体１２寄りの長縁部から積層方向の一端側に向けて延出する。よって、第３板部５３は、高さ方向において第１板部５１よりも電極組立体１２寄りに配置され、第１板部５１よりも蓋１４の内面１４ａから離間している。第３板部５３は、タブ群１５の第１延在部１５ｂを電極組立体１２側から覆う。第３板部５３の長手方向は、蓋１４の長手方向と一致し、第３板部５３の短手方向は、積層方向と一致する。本実施形態では、第３板部５３の長手方向の寸法は、第１板部５１の長手方向の寸法よりも長く、蓋１４の長手方向に沿うタブ群１５の寸法と同じである。負極の導電部材１７の第３板部５３は、蓋１４の厚さ方向から見たとき、第１板部５１と重なる部分と、第１板部５１よりも注液孔４１側に突出し、第１板部５１と重ならない部分とを有する。正極の導電部材１７の第３板部５３は、蓋１４の厚さ方向から見たとき、第１板部５１と重なる部分と、第１板部５１よりも圧力開放弁４３側に突出し、第１板部５１と重ならない部分とを有する。また、本実施形態では、蓋１４の長手方向に沿うタブ群１５の全体が、第３板部５３の上面に溶接される。よって、第３板部５３は、タブ群１５が溶接される電極接続部１９を兼ねる。
【００２７】
図２に示すように、電極接続部１９は、第３板部５３の長手方向に連続する第１〜第３部位１９ａ〜１９ｃを有する。第１部位１９ａは、第３板部５３の長手方向の一端側に位置し、第２部位１９ｂは、第３板部５３の長手方向の他端側に位置し、第３部位１９ｃは、第３板部５３の長手方向において第１部位１９ａと第２部位１９ｂとの間に位置する。図２及び図３に示すように、第１部位１９ａは、蓋１４の厚さ方向から見たとき、注液孔４１と重なる。図２及び図４に示すように、第２部位１９ｂは、蓋１４の厚さ方向から見たとき、第１板部５１の端子接続部１８と重なる。図２に示すように、第３部位１９ｃは、蓋１４の厚さ方向から見たとき、第１板部５１の長手方向の他端部及び中央部と重なる。
【００２８】
二次電池１０は、ケース１１の外部に配置される外側絶縁部材３４と、ケース１１の内部に配置される内側絶縁部材３５とを備える。外側絶縁部材３４は、端子接続部材３１及び外部接続端子３３と蓋１４の外面１４ｂとの間に配置され、端子接続部材３１及び外部接続端子３３と蓋１４とを絶縁する。
【００２９】
内側絶縁部材３５は、導電部材１７の第１板部５１の端子接続部１８と蓋１４の内面１４ａとの間に配置され、端子接続部１８と蓋１４とを絶縁する矩形板状の絶縁板部３６と、絶縁板部３６の３つの縁部から電極組立体１２に向けてそれぞれ立設する壁部３７を備える。３つの壁部３７は、絶縁板部３６の厚さ方向から見たとき、蓋１４の長手方向の中央に向けて開口するＵ字型である。内側絶縁部材３５は、絶縁板部３６における蓋１４の内面１４ａと対向する面とは反対側の面と、３つの壁部３７の内面とによって囲まれた収容部３８を備える。導電部材１７の長手方向の一端部は、収容部３８に収容されるとともに、積層方向に対をなす２つの壁部３７によって挟持される。また、導電部材１７は、積層方向に沿って延びる壁部３７によって、蓋１４の長手方向の端側に移動しないよう位置決めされる。
【００３０】
次に、二次電池の製造方法について説明する。
まず、導電部材１７の第１板部５１の端子接続部１８に、電極端子３２の基部３２ａを接合することで、導電部材１７の端子接続部１８と電極端子３２とを電気的に接続する。図示しないが、導電部材１７は、第１板部５１と、第１板部５１の一方の長縁部から延出する平板状の板部前駆体とを有するＬ字形状である。次に、蓋１４に、端子接続部材３１、電極端子３２、電極端子３２と接合された導電部材１７、外部接続端子３３、外側絶縁部材３４、及び内側絶縁部材３５を組付ける。導電部材１７の第１板部５１は、内側絶縁部材３５に保持される。
【００３１】
次に、導電部材１７にタブ群１５を重ねて配置する。導電部材１７の第１板部５１にタブ群１５の先端部を重ね、板部前駆体にタブ群１５の基端側部位を重ねる。これにより、タブ群１５に第２屈曲部１５ｃ及び第２延在部１５ｄが形成される。次に、板部前駆体の先端側部位とタブ群１５とを溶接する。次に、板部前駆体の先端側部位を積層方向の一端側に向けて折り曲げ、板部前駆体の先端側部位と電極組立体１２のタブ側端面１２ａとを対向させる。これにより、板部前駆体の先端側部位は、電極接続部１９を有するとともにタブ群１５を電極組立体１２側から覆う第３板部５３となり、板部前駆体の基端部は、タブ群１５を積層方向の一端側から覆う第２板部５２となる。また、タブ群１５には、第１屈曲部１５ａ及び第１延在部１５ｂが形成される。
【００３２】
次に、電極組立体１２をケース本体１３の開口部１３ａからケース本体１３内に挿入し、ケース本体１３と蓋１４と接合する。そして、注液孔４１からケース１１内に電解液を注液した後、注液孔４１を封止部材４２によって封止することで、二次電池１０が製造される。
【００３３】
次に、本実施形態の効果を記載する。
（１）導電部材１７の第１板部５１は、蓋１４の長手方向において注液孔４１と並んで配置されるため、蓋１４の厚さ方向から見たとき、注液孔４１と重ならない。また、第３板部５３は、高さ方向において第１板部５１よりも電極組立体１２寄りに配置されるため、第１板部５１よりも蓋１４から離間している。このため、注液孔４１を封止する封止部材４２が蓋１４の内面１４ａから突出していても、第１板部５１及び第３板部５３は封止部材４２と干渉しない。そして、蓋１４の厚さ方向から見たとき、注液孔４１と重なる位置にも第３板部５３が配置されることで、電極接続部１９は、第１板部５１と重なる位置に加えて注液孔４１と重なる位置にも延在する。よって、蓋１４の長手方向における電極接続部１９の寸法を増大させることができ、電極接続部１９に溶接されるタブ群１５のタブ２６についても、蓋１４の長手方向における寸法を増大させることができる。その結果、タブ２６の断面積が増大し、タブ２６の電気抵抗を低減できる。
【００３４】
（２）タブ群１５は、第１板部５１と異なる高さにある第３板部５３に溶接される。このため、溶接時の熱が、蓋１４の内面１４ａと第１板部５１の端子接続部１８との間に配置された内側絶縁部材３５に及ぶことを抑制できる。そして、蓋１４の厚さ方向から見たとき、端子接続部１８と重なる位置にも第３板部５３が配置されることで、電極接続部１９は、第１板部５１の長手方向の他端部及び中央部と重なる位置に加えて端子接続部１８と重なる位置にも延在する。よって、蓋１４の長手方向における電極接続部１９の寸法を増大させることができ、電極接続部１９に溶接されるタブ群１５のタブ２６についても、蓋１４の長手方向における寸法を増大させることができる。その結果、タブ２６の断面積が増大し、タブ２６の電気抵抗を低減できる。
【００３５】
（３）蓋１４の厚さ方向から見たとき、圧力開放弁４３と重なるように導電部材１７の第１板部５１が配置される場合、圧力開放弁４３は、導電部材１７の第１板部５１によって電極組立体１２側から覆われる。このため、圧力開放弁４３が作動した際に、第１板部５１によってケース１１の内部の圧力の開放が妨げられることがある。これに対し、本実施形態では、導電部材１７の第１板部５１は、蓋１４の長手方向において圧力開放弁４３と並んで配置されるため、蓋１４の厚さ方向から見たとき、圧力開放弁４３と重ならない。また、第３板部５３は、高さ方向において第１板部５１よりも電極組立体１２寄りに配置されるため、第１板部５１よりも蓋１４の内面１４ａから離間している。このため、第１板部５１及び第３板部５３は、圧力開放弁４３が作動した際のケース１１の内部の圧力の開放を妨げない。そして、蓋１４の厚さ方向から見たとき、圧力開放弁４３と重なる位置にも第３板部５３が配置されることで、電極接続部１９は、第１板部５１と重なる位置に加えて圧力開放弁４３と重なる位置にも延在する。よって、蓋１４の長手方向における電極接続部１９の寸法を増大させることができ、電極接続部１９に溶接されるタブ群１５のタブ２６についても、蓋１４の長手方向における寸法を増大させることができる。その結果、タブ２６の断面積が増大し、タブ２６の電気抵抗を低減できる。
【００３６】
（４）導電部材１７の第３板部５３には、蓋１４の長手方向に沿うタブ２６の全体が溶接される。タブ２６の電気抵抗に関与するのは、導電部材１７と電気的に接続される部分であることから、蓋１４の長手方向に沿うタブ２６の一部が第３板部５３に溶接される場合と比較して、タブ２６において電流が流れる部分を増大させることができる。よって、タブ２６の電気抵抗をより低減できる。
【００３７】
なお、上記実施形態は、以下のように変更してもよい。
○  正極電極２１において、正極活物質層２５は正極金属箔２４の片面に存在してもよい。同様に、負極電極２２において、負極活物質層２８は負極金属箔２７の片面に存在してもよい。
【００３８】
○  正極のタブ群１５は、第２屈曲部１５ｃ及び第２延在部１５ｄを備えなくてもよい。同様に、負極のタブ群１５は、第２屈曲部１５ｃ及び第２延在部１５ｄを備えなくてもよい。
【００３９】
○  電極端子部材１６の構成は、蓋１４を貫通し、導電部材１７と電気的に接続される電極端子３２を備えるのであれば、適宜変更してよい。例えば、電極端子３２は、外部接続端子を兼ねてもよい。また、例えば、電極端子３２は、導電部材１７と一体形成されていてもよい。
【００４０】
○  第３板部５３の電極接続部１９は、第１部位１９ａ又は第２部位１９ｂを備えない構成でもよい。
図５に示すように、第３板部５３の電極接続部１９は、蓋１４の厚さ方向から見たとき、注液孔４１又は圧力開放弁４３と重なる第１部位１９ｄと、第１板部５１の長手方向の他端部及び中央部と重なる第２部位１９ｅとを備える構成でもよい。
【００４１】
図６に示すように、第３板部５３の電極接続部１９は、蓋１４の厚さ方向から見たとき、第１板部５１の端子接続部１８と重なる第１部位１９ｆと、第１板部５１の長手方向の他端部及び中央部と重なる第２部位１９ｇとを備える構成でもよい。
【００４２】
○  導電部材１７の第１板部５１が端子接続部１８を備える位置は、第１板部５１の長手方向の一端部に限定されず、例えば、第１板部５１の長手方向の中央部でもよい。
○  導電部材１７の第３板部５３には、蓋１４の長手方向に沿うタブ２６の一部が溶接されてもよい。
【００４３】
○  封止部材４２の構成は適宜変更してよい。封止部材４２は、例えば、蓋１４の内面１４ａに係止される爪部を有する封止栓であってもよい。
○  圧力開放弁４３が作動した際に、第１板部５１の存在によってケース１１の内部の圧力の開放が妨げられないのであれば、第１板部５１は、蓋１４の厚さ方向から見たとき、圧力開放弁４３の一部又は全部と重なっていてもよい。
【００４４】
○  注液孔４１及び封止部材４２が正極の電極端子部材１６寄りに位置し、圧力開放弁４３が負極の電極端子部材１６寄りに位置してもよい。
○  蓄電装置は、例えばキャパシタなど、二次電池以外の蓄電装置にも適用可能である。
【００４５】
○  二次電池１０は、リチウムイオン二次電池以外の他の二次電池であってもよい。要は、正極用の活物質と負極用の活物質との間をイオンが移動するとともに電荷の教授を行うものであればよい。
【００４６】
次に、上記実施形態から把握できる技術的思想を以下に追記する。
（イ）電極が積層され、かつ前記電極から突出したタブが積層されたタブ群を有する電極組立体と、前記電極組立体を収容するケース本体の開口部を閉塞する矩形板状の蓋と、前記蓋を貫通する電極端子と、前記タブ群が存在する前記電極組立体のタブ側端面と前記蓋との間に配置され、前記タブ群と溶接される電極接続部、及び前記電極端子と電気的に接続される端子接続部を有する導電部材と、前記蓋に設けられ、前記ケースの内部の圧力を前記ケースの外部に開放させる圧力開放弁と、を備え、前記タブ群は、前記電極の積層方向の一端側で寄せ集められるとともに前記積層方向の他端側に向けて折り曲げられている蓄電装置であって、前記導電部材は、前記蓋の内面に沿い、かつ前記蓋の長手方向において前記圧力開放弁と並んで配置されるとともに、前記端子接続部を有する平板状の第１板部と、前記積層方向の他端側において前記第１板部から前記電極組立体に向けて延出する第２板部と、前記第２板部から前記積層方向の一端側に向けて延出し、前記タブ群を前記電極組立体側から覆うとともに、前記電極接続部を有する平板状の第３板部と、を備え、前記電極接続部の一部は、前記蓋の厚さ方向から見たとき、前記圧力開放弁の少なくとも一部と重なることを特徴とする蓄電装置。
【符号の説明】
【００４７】
１０…蓄電装置としての二次電池、１２…電極組立体、１２ａ…タブ側端面、１３…ケース本体、１３ａ…開口部、１４…蓋、１４ａ…内面、１５…タブ群、１７…導電部材、１８…端子接続部、１９…電極接続部、２１…電極としての正極電極、２２…電極としての負極電極、２６…タブ、３２…電極端子、４１…注液孔、４２…封止部材、５１…第１板部、５２…第２板部、５３…第３板部。
【図１】
2019175690.tif 000003
【図２】
2019175690.tif 000004
【図３】
2019175690.tif 000005
【図４】
2019175690.tif 000006
【図５】
2019175690.tif 000007
【図６】
2019175690.tif 000008